(57)【要約】  本発明は、ビーム案内グリッド（４）を製造する方法に関し、当該ビーム案内グリッドは、放射線吸収金属粉末と結合剤、特にタングステン粉末と結合剤から、複数の通路（４０）と当該通路を包囲する壁領域とから成るグリッドを有する成型品を備える。有利な製造は、当該成型品が射出成形によって製造され、この場合、均一化された混合物が、流動可能に準備された射出材料として、成型品を形成する成型ツール（７）内に射出成形機を用いて充填され、射出材料で充填される前に、移動可能なモールドコア（７２）が成型ツールの内部に導入されることで達成される。【選択図】図１
2021517968.tif 000002
【特許請求の範囲】
【請求項１】
放射線吸収金属粉末と結合剤、特にタングステン粉末と結合剤との混合物から、複数の通路（４０）と前記通路を包囲する複数の壁領域とから成るグリッドを備える成型品で構成されるビーム案内グリッド（４）を製造する方法であって、
前記成型品が射出成形によって製造され、この場合、均一化された前記混合物が、流動可能に準備された射出材料として、前記成型品を形成する成型ツール（７）内に射出成形機を用いて充填され、前記射出材料が充填される前に、移動可能なモールドコア（７２）が前記成型ツール（７）の内部に導入されることを特徴とする方法。
【請求項２】
前記射出成形に使用される前記結合剤は、予熱され且つ可塑化された、熱可塑性プラスチック材料または熱硬化性プラスチック材料であることを特徴とする、請求項１記載の方法。
【請求項３】
ポリエーテルケトン、特にポリエーテルエーテルケトン（ＰＥＥＫ）が、前記熱可塑性プラスチック材料として使用されることを特徴とする、請求項２記載の方法。
【請求項４】
結合剤に対する金属粉末、特にタングステン粉末の比が、体積％で３０／７０から９８／２の範囲であることを特徴とする、請求項１から３までのいずれか１項記載の方法。
【請求項５】
前記成型の間、前記通路（４０）の複数の軸を共通の焦点に向かって互いに鋭角に整列させるために、前記成型ツール内の前記モールドコア（７２）は、前記通路（４０）の向き、グリッド、形状に従って配置され且つ形成され、保管ユニット（８）上で前記成型ツール（７）の壁セクションの外側に保持され、前記射出材料の導入および予備凝固の後であって前記成型品を排出する前に、前記通路（４０）から引き抜かれることを特徴とする、請求項１から４までのいずれか１項記載の方法。
【請求項６】
前記成型工程の準備のために、前記モールドコア（７２）は、変位ユニット（９）を用いて成型位置に配置され、前記変位ユニット（９）は、前記モールドコア（７２）とともに前記保管ユニット（８）を成型位置に移動させ、予備凝固の後、前記モールドコア（７２）は、前記保管ユニット（８）を移動させる前記変位ユニット（９）によって前記通路（４０）から引き抜かれることを特徴とする、請求項５記載の方法。
【請求項７】
前記モールドコア（７２）は、前記成型ツール（７）の前記壁セクションにおいて個々に割り当てられた供給貫通孔を通して導入され、これらの供給貫通孔を通して引き抜かれ、この場合、前記モールドコア（７２）は、前記保管ユニット（８）にフローティングの手段で保持されており、これにより、導入および引き抜きの間、前記通路（４０）および前記供給貫通孔を斜めに位置決めることで、ｘおよび／またはｙ方向の横方向の移動成分が補償されることを特徴とする、請求項５または６記載の方法。
【請求項８】
請求項１から７までのいずれか１項記載の方法によって、複数の通路（４０）と、前記通路（４０）を包囲し、Ｘ線またはガンマ線を吸収する壁領域と、から成るグリッドを有する成型品から形成され、且つ結合剤に結合された均一に分布した金属粉末、特にタングステン粉末から成型されたビーム案内グリッド（４）であって、
前記結合剤は、熱可塑性プラスチック材料または熱硬化性プラスチック材料であるか、または主として前記プラスチックを含有することを特徴とする、ビーム案内グリッド（４）。
【請求項９】
前記通路（４０）は、前記通路（４０）の中心軸とともに焦点に向かって、互いに対して鋭角に整列されていることを特徴とする、請求項４記載のビーム案内グリッド（４）。
【請求項１０】
前記通路（４０）は、ビーム入射側からビーム出射側に向かって円錐状に先細りになっており、前記中心軸に対する円錐の角度は、最大で１°であることを特徴とする、請求項８又は９記載のビーム案内グリッド（４）。
【請求項１１】
前記通路（４０）の中心から中心までの前記グリッドの距離は最大で２ｍｍであり、それらの最薄点における前記壁領域の厚さは最大で２００μｍであることを特徴とする請求項８から１０までのいずれか１項記載のビーム案内グリッド（４）。
【請求項１２】
少なくとも１つのＸ線源を含む光学系において、前記複数の通路（４０）が、前記Ｘ線源に向かう前記通路（４０）の中心軸で整列される、請求項８〜１１のいずれか１項記載の複数のビーム案内グリッド（４）から成る装置。
【請求項１３】
請求項８〜１１のいずれか１項記載のビーム案内グリッド（４）、または請求項１２に記載の装置のコンピュータ断層撮影における使用。
【発明の詳細な説明】
【技術分野】
【０００１】
本発明は、ビーム案内グリッドを製造する方法、及び、当該方法を用いて製造されたビーム案内グリッドに関し、当該ビーム案内グリッドは、複数の通路とこれらの通路を包囲する壁領域で作られ、且つ放射線吸収金属粉末と結合剤、特にタングステン粉末と結合剤の混合物で作られたグリッドを備える成形品から製造されている。
【背景技術】
【０００２】
このタイプのビーム案内グリッドは、散乱防止グリッド又はコリメータとしても知られており、特にＸ線又はガンマ線診断において、例えばコンピュータ断層写真撮影装置において使用され、被検対象物の撮像における一次撮像光線に重畳される干渉散乱放射線をできるだけ吸収し、その後の検出器装置において可能な最も干渉のない撮像を達成し、最も正確に読み取れる画像を得る。このタイプの光案内グリッドは、例えば１００μｍの厚さ範囲の薄い壁領域によって囲まれ、且つ約１ｍｍ以下の開口幅を有する複数の通路を有し、当該通路の中心通過軸は、放射源が配置される相互の焦点に方向付けられている。これにより、個々の通路チャネルが互いに対して斜めに配向され、その結果、このようなビーム案内グリッドの製造には問題が生じる。壁領域は、できるだけ吸収性の材料であって、例えば、タングステン、又はＸ線またはガンマ線に対して同等の吸収能力を有する金属を含有する材料から作られる。
【０００３】
ビーム案内グリッドを製造するための最初に言及されたタイプの方法が、欧州特許出願公開第１２９８６７８号明細書において提案されている。この公知の方法では、通路チャネルまたは不透過性の壁領域に対応する基体が、ラピッドプロトタイピング技術を用いて、放射線の作用によって構造材料を層状に凝固させることによって構築され、この基体に、ビーム案内グリッドまたは散乱防止グリッドまたはコリメータが製造される。例えば、散乱放射線を吸収するための材料が、液体状態で基体の隙間に充填され、冷却によって凝固される。次いで基体の材料を除去することができ、その結果、吸収性材料の骨格のみがビーム案内グリッドとして残る。別のアプローチでは、基体は、陰性モデルに、例えばニッケルに充填または鋳造することによって形成され、次いで、上記の方法で、当該陰性モデルからビーム案内グリッドを作製することができる。これらの例は、ビーム案内グリッドを製造するために高いコストが必要であることを示している。
【０００４】
米国特許第６４７００７２号明細書では、様々な焦点距離に調整可能なビーム案内グリッドを、柔軟性を持たせて準備することが提案されている。製造のためには射出成形が提案されており、粉末タングステンと熱可塑性プラスチック材料との混合物が記載されている。製造の詳細、特に前述の困難を克服する方法については、これ以上具体的な情報は与えられていない。
【０００５】
特開２００３−２５１６５８号公報は、射出成形によって、微細孔を有する光案内グリッドを製造することを示しており、一群の平行ピンによって貫通された可動部分金型を有する金型が用いられることを特徴とする。しかし、このような装置では集束グリッドを得ることはできない。
【０００６】
米国特許出願公開第２０１２／００８５９４２号明細書には、コリメータを製造する方法が開示されており、ここでは、タングステン粉末からなる部分的な基体が焼結によって製造され、コリメータを製造するために組み立てられる。
【０００７】
米国特許出願公開第２０１０／０２７６８２９号明細書には、例えば、８０重量％〜９８重量％のタングステン粉末などの粉末材料と結合剤とを含む成型用材料を金型内で成型することによって、高アスペクト比を有するビーム案内グリッドを製造することが示されている。
【０００８】
独国特許出願公開第１０２０１１０５０９６３号明細書は、散乱防止Ｘ線グリッドを製造する方法を示しており、この方法では、チャネルを有する基板が準備され、次いで、Ｘ線を吸収しない材料で側壁が被覆され、その上にＸ線を吸収する材料が被覆される。基板を製造する方法は、これ以上詳細には記載されていないが、射出成形、レーザ処理、機械加工、プラズマエッチングなどであり、Ｘ線を吸収しない基板材料、熱可塑性プラスチック、ＰＥＥＫ、グラファイト、アルミニウム、およびこれらの組み合わせとして言及している。複数のチャネルの軸方向の整列は、放射線源から出射するＸ線の円錐形に対応し得る。
【０００９】
米国特許出願公開第２０１３／０１９３３２９号明細書は、中性子シンチレータおよび結合剤からなる中性子シンチレータ材料を示す。米国特許第５０３４１５７号明細書には、ＰＥＥＫ樹脂などのポリエーテルケトンマトリックス材料を含有する、射出成形に適した混合物が開示されている。
【００１０】
米国特許第７８３９９８１号明細書では、種々の材料で作られたビーム案内グリッド及び対応する製造方法が示されている。
【発明の概要】
【課題を解決するための手段】
【００１１】
本発明は、特に多数の部品を可能な限り経済的に製造することができる、上述のタイプのビーム案内グリッドを製造する方法を特定することを課題にする。さらに、このような経済的に製造されたビーム案内グリッド、およびその使用が提供される。
【００１２】
この課題は、請求項１に記載された手順を踏む方法によって解決される。ビーム案内グリッドに関して、この課題は請求項８に記載の特徴によって解決される。システムおよびその用途に関して、この課題は、それぞれ請求項１２および１３の特徴によって解決される。
【００１３】
したがって、本方法に関して、主請求項の特徴に関連して成型品は射出成形によって製造され、この場合、均一化された混合物が、流動可能な形態で用意された射出質量体として、成型品を製造する成型ツール内に詰め込まれ、射出質量体の導入前に、移動可能なモールドコアが成型ツールの内部に導入される。
【００１４】
射出成形の範囲内にある圧縮射出成形プロセスに関連することもあるこれらの手段を使用することにより、適切に設計された金型を用いて、特に多数個に亘る経済的な製造が達成されるであろう。これにより、上質なビーム案内グリッドを高品質で一貫して作ることができ、特に壁面領域において、大きな問題のない内壁面を得ることができる。
【００１５】
このようにして得られたビーム案内グリッド、及びそれに基づくシステム及び／又は用途についても、同様の利点が得られる。
【００１６】
本方法の様々な実施形態は、射出プロセスのため、予熱され且つ可塑化された熱可塑性プラスチック材料または熱硬化性プラスチック材料が結合剤として使用されるという事実を含む。
【００１７】
ビーム案内グリッドの製造および品質に関して得られる有利な追加の手段は、使用される熱可塑性材料がポリエーテルケトン、特にポリエーテルエーテルケトン（ＰＥＥＫ）であるという事実を含む。
【００１８】
本方法の実施及びビーム案内グリッドの機能に関する追加の有利な手段は、結合剤に対する金属粉末、特にタングステン粉末の比が、体積％で３０／７０〜９８／２の範囲にあるという事実を含む。例えば、４０／６０〜９５／５の範囲、５０／５０〜９０／１０の範囲、特に６０／４０〜８５／１５の範囲、またはこれらの範囲限界内の種々の範囲が、本発明者らによる初期の研究において有利であることが証明された。
【００１９】
本方法の実施は、成型プロセスの間に、通路チャネルの軸を共通の焦点に向かって互いに鋭角に整列させるために、成型ツール内のモールドコアが、通路の向き、通路のグリッド、および通路の形状に対応して配置され且つ設計され、成型ツールの壁セクションの外側の保管ユニット内に保持され、射出質量体の充填および初期凝固の後であって金型の除去の前に通路から引き抜かれるという点で、有利に行うことができる。
【００２０】
本方法を実施するためのさらなる有利な手段としては、後続の成型に備えるために、当該モールドコアとともに保管ユニットを移動させる調整ユニットを用いて、モールドコアが成型位置に配置され、予備凝固の後、モールドコアは保管ユニットを移動させる調整ユニットによって通路から引き抜かれる、という事実が含まれる。
【００２１】
この方法を実施するためのさらなる利点は、モールドコアが、個々に割り当てられた通路を通して成型ツールの壁セクション内に導入され、これらを通して再び引き抜かれ、これにより、挿入および取り外し中における通路の傾斜によって引き起こされる、少なくともｘおよび／またはｙ方向、場合によってはｚ方向の横方向の移動成分が補償されることである。
【００２２】
ビーム案内グリッドは、有利には、中心軸を有する複数の通路が、共通の焦点に基づいて互いに鋭角に整列されるように構成されている。
【００２３】
さらに、ビーム案内グリッドの正確な形成は、通路がビーム入射側からビーム出射側に向かって円錐状に広がるという事実によって達成され、この場合、中心軸に対する円錐の角度は、最大で１°である。
【００２４】
ビーム案内グリッドのさらなる有利な実施形態は、複数の通路の中心から中心までのグリッド間隔が最大で２ｍｍであり、それらの最薄点における壁領域の厚さが最大で２００μｍであるという事実から成る。
【００２５】
以下、図面を参照して、例示的な実施形態に基づいて本発明を説明する。
【図面の簡単な説明】
【００２６】
【図１】コンピュータ断層写真撮影装置等のＸ線装置におけるビーム案内グリッドに入り込む状態を示す概略図である。
【図２】ビーム案内グリッドを縦断面における拡大断面図で示す。
【図３】ビーム案内グリッドを概略的な断面平面図で示す。
【図４】ビーム案内グリッドを製造する射出成形ツールを概略的な斜視断面図で示す。
【発明を実施するための形態】
【００２７】
図１には、散乱防止グリッド又はコリメータとしても知られている、Ｘ線診断用の撮像装置１におけるビーム案内グリッドの使用が示されている。例えば１メートルの距離にある焦点に、Ｘ線を放射する放射線源２が配置されており、当該Ｘ線は被検対象物Ｏを有する物体Ｋを透過する。その後、対象物Ｏの画像情報を含むＸ線は、一次放射線３０としてビーム案内グリッド４の通路４０を通過し、一般にマトリックスとして配置されたレシーバ素子を有するレシーバユニット５によって記録される。次に、対象物Ｏにおける分析可能な画像が、個々の記録から再構成される。ガンマ線を用いた検査、すなわち、Ｘ線におけるより短い波長範囲に続く電磁放射線の領域からのビームを用いた検査も同様に行うことができる。そして、放射線源２がガンマ放射線源として設計され、レシーバユニット５が対応して選択される。
【００２８】
図１に更に概略的に示すように、ビーム３が通過すると、例えば物体Ｋに含まれる散乱中心において散乱放射線３１が形成され、当該散乱放射線３１は一次放射線３０から得られる画像に干渉するか、又は当該画像を不鮮明にし、これによって画像情報の評価が困難になるか、又は当該評価を詳細に行うことができなくなる。ビーム案内グリッド４の通路４０が吸収性の壁領域４１で囲まれているため、ビーム案内グリッドによって散乱放射線は大きく吸収される。適切な金属例えばタングステンや、同様にＸ線又はガンマ線を吸収する特性を有する金属を含有する適切な吸収性材料は、それ自体公知である。
【００２９】
一次放射線３０がビーム案内グリッド４をスムーズに通過し得るように、吸収性の壁領域を有する通路４０は、図２による断面図に示されているように、放射線源２に位置するそれらの焦点に位置合わせされる。図３から明らかなように、ビーム案内グリッド４は二次元的に延在し、例えば、長方形、正方形、または多角形、円形、楕円形、または他の適切な自由形状の断面を有する通路４０を備える。
【００３０】
記録装置１は、隣接して配置された複数のビーム案内グリッド４を備えるシステムを含み、これにより、対象物Ｏのなるべく完全な画像を得る。例えば、個々のビーム案内グリッド４は、４〜２０ｍｍの（ビーム通路を基準にする）高さと、数センチメートルの長さ及び幅とを有し、当該通路の断面寸法は、例えば、約１ミリメートルの範囲、例えば、０．５〜１．５ｍｍの間である。壁領域の厚さは、例えば４０μｍ〜２００μｍの間、例えば６０μｍ〜１５０μｍの間であり、この場合、例えば８０μｍ〜１２０μｍの間の範囲が好適であり得る。通路４０の斜め位置決めは、例えば、１メートルの距離にある共通の焦点に関連しており、それにより、個々の通路４０は、焦点に関して互いに対して鋭角に延在する。
【００３１】
最初に説明したように、ビーム案内グリッド４の上述した設計に関する要件は、比較的高いコストを伴う。コストをより経済的なものとするために、特に、多数個の均一で良好な製品を考慮して、本発明によるビーム案内グリッド４が射出成形技術を用いて製造され、この場合、図４に概略的に示すように、設計及び手順が特別な手段によって特徴付けられる。
【００３２】
図４は、射出成形機内に配置された射出ツールを示しており、当該射出ツールは、射出材料を注入する射出ノズルの前側の出口部にある。当該射出ツールは、射出ボディのための空洞を含む成型ツール７を有し、これによりビーム案内グリッド４又は成型品６を形成する。板状の成型体７０が、ノズル側に配置されており、成型品６の外周輪郭を形成する。吐出側での成型体７０の下方には、付加的な板状の成型体７１がある。吐出側での付加的な成型体７１には、複数の通路開口部が配置されており、変位可能なモールドコア７２は、成型品６内に存在する通路４０の方向において当該通路開口部を貫通する。これらのピン状のモールドコア７２のうちの数個のみが図４に示されている。実際には、このようなモールドコア７２は、全ての通路４０に存在する。
【００３３】
各モールドコア７２は、ビーム案内グリッド４および成型品６の垂直軸（ｚ軸）に向かう焦点を基準として、必要な鋭角で個々に整列されており、この場合、ビーム案内グリッド４および成型品６は、各々、ｘ／ｙ方向に垂直な平面内で長さおよび幅が延在する。モールドコア７２が空洞内に導入されると、成型品６を製造するために、射出成形機の対応するノズルを通して射出材料が導入され、吸収性の壁領域４１を生成し、この場合、射出材料は、放射線吸収金属粉末と結合剤、したがって特にタングステン粉末と結合剤との混合物から形成されている。
【００３４】
次に、加熱された液状の射出材料は、成型品６の予備凝固を引き起こす温度まで冷却される。次いで、モールドコア７２が、調整ユニット９を作動させることによって、モールドコア７２を支持するホルダ８０を用いて成型品６の通路から引き抜かれる。
【００３５】
この目的のために、ホルダ８０はモールドコアホルダ８１を有し、当該モールドコアホルダ８１は、モールドコア７２を成型品６から引き抜く間、ｚ方向に関して横方向の変位を可能にし、なぜなら、モールドコア７２をｚ方向に引き抜く間、通路４０を斜めに位置決めするために、Ｘまたはｙ方向の横方向運動成分がモールドコア７２に重ね合わせられるからである。したがって、モールドコアホルダ８１におけるモールドコア７２の取り付けは、フローティング型のものである。これに対応して、フローティング設計はまた、吐出側での付加的な成型体７１の通路を通るモールドコア７２の導入中に、Ｘおよびｙ方向での横方向の変位を可能にする。
【００３６】
図４で示すように、フローティング支持体については、例えば、それぞれのモールドコア７２のラインに関してＸ方向に延びるいくつかの水平ガイドが存在するが、それぞれのモールドコア７２を有するガイドは、次いでｙ方向に変位させることができ、これにより、開口の方向においても対応する通路４０の整列方向においても、モールドコア７２の導入または引き抜きの間での補償を行うことができる。
【００３７】
金型から外すための有利な手段として、モールドコア７２は、焦点に向かう方向にわずかに、又は多かれ少なかれ広範囲に円錐状に先細りされていることが理解される。
【００３８】
成型品６またはビーム案内グリッド４を排出するための射出成形ツールまたは成型ツール７の開口は、成型体７０と付加的な成型体７１との間で行われる。
【００３９】
また、例えば、ポリエーテルケトン、特にポリエーテルエーテルケトン（ＰＥＥＫ）から製造された熱可塑性物質を結合剤として有利に使用することができ、比較的高い温度（例えば、３３０℃〜４５０℃）で安定した特性および成型性を可能にすることが、本発明者による研究中に見出された。成型ツール７の充填時とモールドコア７２の引抜き時の温度差は、例えば７０℃であり、これに関して、射出成形機の温度制御系が適切に制御可能とされている。他の熱可塑性プラスチック結合剤または熱硬化性プラスチック結合剤も考えられる。金属粉末を用いて均一に用意された射出材料の充填度は、金属粉末またはタングステン粉末の体積部分で、金属粉末／結合剤において、３０／７０から９８／２、例えば４０／６０から９５／５、５０／５０から９０／１０、又は６０／４０から８５／１５の範囲にあり、これらの間の比も考慮され得る。放射線吸収金属粉末および結合剤のために選択される材料、ならびにビーム案内グリッドの幾何学的比率および壁領域の厚さも考慮しなければならない。
【００４０】
本発明による方法は、特に大量かつ一貫して高品質のビーム案内グリッド４の経済的な製造方法を提供する。
【図１】
2021517968.tif 000003
【図２】
2021517968.tif 000004
【図３】
2021517968.tif 000005
【図４】
2021517968.tif 000006
【国際調査報告】
2021517968.tif 000007
2021517968.tif 000008
2021517968.tif 000009
2021517968.tif 000010